(57)【要約】【課題】骨アセンブリを中央軸に接近するように都合よく折畳み可能な多段折畳み式傘を提供する。【解決手段】中央軸１に回動可能に取り付けられる骨アセンブリ２を有する多段折畳み式傘であって、骨アセンブリは、拡張骨２２およびリア骨２６の間で回動可能に連結される中間骨２３、内側および外側のリテーナ２３ａ、２３ｂによって保持されるように中間骨に対して並置される中間連結骨２４、および、拡張骨に取り付けられるとともに拡張骨に摺動可能に保持されるスライド部材３３を介して中間連結骨に回動可能に連結される弾性を有する復元スプリング３を含み、拡張骨はトップ骨と前記中央軸に保持されるランナとに回動可能に連結される。拡張骨に設けられる復元スプリングは、傘を開くとき、引っ張られて弾性力を蓄積し、傘を閉じるとき、都合よく傘を折畳むために内方へ中心に向けて骨アセンブリを引っ張るように復元する。【選択図】　　　　　　図１
0003097904.tif 000002
【実用新案登録請求の範囲】
【請求項１】
中央軸と、
前記中央軸の頂部に形成される上ノッチに回動可能に取り付けられるトップ骨、前記トップ骨と前記中央軸に摺動可能に保持されるランナとの間で回動可能に連結される拡張骨、前記拡張骨に回動可能に連結されるとともに内側連結骨を介して前記トップ骨に回動可能に取り付けられる中間骨、前記中間骨に並んで配置されるとともに前記拡張骨に回動可能に取り付けられる中間連結骨、および、前記中間骨および前記中間連結骨にそれぞれ回動可能に取り付けられるリア骨を含む骨アセンブリと、
を有する多段折畳み式傘において、
前記中間連結骨は、前記拡張骨に摺動可能に取り付けられる弾性を有する復元スプリングを介して前記拡張骨に取り付けられ、
前記復元スプリングは、前記中間連結骨、前記中間骨および前記リア骨を、前記拡張骨および前記中央軸の方へ弾性力で引っ張ることができ、
傘を開いた状態から閉じるとき、前記復元スプリングは、傘を都合よく折畳むために、前記骨アセンブリを前記中央軸の方へ引っ込ませるように復元することを特徴とする多段折畳み式傘。
【請求項２】
前記復元スプリングは、前記拡張骨の外方部に取り付けられるとともに、前記拡張骨に凹状に形成された溝に摺動可能に保持される請求項１に記載の多段折畳み式傘。
【請求項３】
前記復元スプリングは、拡張骨の骨部に取り付けられる内方ばね端部と、拡張骨に凹状に形成された溝に摺動可能に係合しているスライド部材に取り付けられる外方ばね端部とを含み、前記スライド部材は、前記拡張骨の底部に切り欠かれて形成されたスロットを通って外方に突出するラグを有し、前記ラグは、前記中間連結骨の内方端部に回動可能に取り付けられる請求項１に記載の多段折畳み式傘。
【請求項４】
前記復元スプリングは、板ばねとして形成される請求項３に記載の多段折畳み式傘。
【請求項５】
前記復元スプリングは、引張コイルばねして形成される請求項３に記載の多段折畳み式傘。
【請求項６】
前記中間骨は、当該中間骨の内方部および外方部にそれぞれ形成される内側リテーナおよび外側リテーナを含み、前記中間連結骨を前記内側リテーナおよび前記外側リテーナによって保持されるように前記中間骨に対して摺動可能に並置した請求項１に記載の多段折畳み式傘。
【請求項７】
前記中間骨は、プラスチックの成型プロセスによって一体的に形成されて、前記中間骨の内方部および外方部にそれぞれ形成される内側リテーナおよび外側リテーナを有するプラスチックの骨となり、前記中間連結骨を前記内側リテーナおよび前記外側リテーナによって保持されるように前記中間骨に対して摺動可能に並置した請求項６に記載の多段折畳み式傘。
【考案の詳細な説明】
【０００１】
【考案の属する技術分野】
本考案は、都合よく折畳み可能な多段折畳み式傘に関する。
【０００２】
【従来の技術】
図１０に示される従来の三段折畳み式傘は、中央軸１に回動可能に取り付けられ、傘布Ｃを取り付けるための骨アセンブリ２であって、中央軸１の頂部に形成される上ノッチ２０に回動可能に取り付けられるトップ骨２１を含む骨アセンブリ２と、中央軸１に摺動可能に保持されるランナ２０ｒおよびトップ骨２１の間で回動可能に連結される拡張骨２２と、拡張骨２２に回動可能に連結されるとともに、内側連結骨２５を介してトップ骨２１に回動可能に取り付けられる中間骨２３と、中間骨２３に回動可能に連結されるリア骨２６と、を有している。
【０００３】
上記従来の傘は、傘を閉じるときに骨アセンブリを素早く折畳むのを助けるための、骨アセンブリに設けられる何らかの復元機構を欠いているので、骨アセンブリ２は中央軸１に接近するように折畳まれることができず、骨アセンブリ２上に取り付けられる傘布Ｃはゆるくてきちんとしていない。したがって、折畳まれた傘をきちんとした状態にするためのさらなる手間を要し、そのためユーザの不都合が生じる。
【０００４】
図１１に示す従来の他の傘では、中間連結骨２４が、中間骨２３の中程の位置に位置されるリテーナ２３ｍによって、中間骨２３に並んで配置される。この中間連結骨２４は、拡張骨２２およびリア骨２６の間で回動可能に取り付けられる。しかし、上記従来の傘は、骨アセンブリを中央軸１に接近するように折畳むのを助けるための、何らかの復元機構がなお欠如している。それによって、スリムないし小型の折畳み構造にすべく傘布を完全に折畳むために、手際の良い仕事がなお要求される。
【０００５】
一方、弓形の中間連結骨２４を形成するようにリテーナ２３ｍだけが中間骨２３の中程の位置に固定され、これによって中間骨２３およびリア骨２６を外方に付勢する。それによって、傘を閉じるときに中央軸１の方へ骨アセンブリを折畳むためのさらなる仕事が要求される。もし仮に、上記従来の傘に対して、中間骨２３が拡張骨２２に近づくことができるように、中間連結骨２４の内方端部２４１に近い側に、内側リテーナ２３ａが設けられ、図１１に破線で示されるようにリア骨２６を付勢するように、リア骨２６に回動可能に連結される中間連結骨２４の外方端部２４２に近い側に、外側リテーナ２３ｂが設けられるならば、骨アセンブリ２は、中央軸１の方に内方へうまく折畳まれるであろう。しかし、従来の三段折畳み式傘には、本考案の考案者によって上記のように仮に提供されるような、内側および外側のリテーナ２３ａ、２３ｂが設けられていない。
【０００６】
【考案が解決しようとする課題】
本考案の考案者らは、上記従来の三段折畳み式傘の問題点に鑑みて、本考案の多段折畳み式傘を考案したものであり、本考案の目的は、骨アセンブリを中央軸に接近するように都合よく折畳み可能な多段折畳み式傘を提供することである。
【０００７】
【課題を解決するための手段】
本考案の目的は、中央軸に回動可能に取り付けられる骨アセンブリを有する傘であって、骨アセンブリは、拡張骨およびリア骨の間で回動可能に連結される中間骨、内側リテーナおよび外側リテーナによって保持されるように中間骨に対して並んで配置される中間連結骨、および、拡張骨に取り付けられるとともに拡張骨に摺動可能に保持されるスライド部材を介して中間連結骨に回動可能に連結される弾性を有する復元スプリングを含み、拡張骨はトップ骨と前記中央軸に保持されるランナとに回動可能に連結され、傘を開くときに骨アセンブリが拡開されると、拡張骨に設けられる復元スプリングは引っ張られて弾性力を蓄積し、傘を閉じるときには、復元スプリングは、都合よく傘を折畳むために内方へ中心に向けて骨アセンブリを引っ張るように復元するようにした傘を提供することによって達成される。
【０００８】
本考案の一局面によれば、中央軸と、前記中央軸の頂部に形成される上ノッチに回動可能に取り付けられるトップ骨、前記トップ骨と前記中央軸に摺動可能に保持されるランナとの間で回動可能に連結される拡張骨、前記拡張骨に回動可能に連結されるとともに内側連結骨を介して前記トップ骨に回動可能に取り付けられる中間骨、前記中間骨に並んで配置されるとともに前記拡張骨に回動可能に取り付けられる中間連結骨、および、前記中間骨および前記中間連結骨にそれぞれ回動可能に取り付けられるリア骨を含む骨アセンブリと、を有する多段折畳み式傘において、前記中間連結骨は、前記拡張骨に摺動可能に取り付けられる弾性を有する復元スプリングを介して前記拡張骨に取り付けられ、前記復元スプリングは、前記中間連結骨、前記中間骨および前記リア骨を、前記拡張骨および前記中央軸の方へ弾性力で引っ張ることができ、傘を開いた状態から閉じるとき、前記復元スプリングは、傘を都合よく折畳むために、前記骨アセンブリを前記中央軸の方へ引っ込ませるように復元することを特徴とする多段折畳み式傘である。
【０００９】
前記復元スプリングは、前記拡張骨の外方部に取り付けられるとともに、前記拡張骨に凹状に形成された溝に摺動可能に保持されてもよい。
【００１０】
また、前記復元スプリングは、拡張骨の骨部に取り付けられる内方ばね端部と、拡張骨に凹状に形成された溝に摺動可能に係合しているスライド部材に取り付けられる外方ばね端部とを含み、前記スライド部材は、前記拡張骨の底部に切り欠かれて形成されたスロットを通って外方に突出するラグを有し、前記ラグは、前記中間連結骨の内方端部に回動可能に取り付けられてもよい。
【００１１】
また、前記復元スプリングは、板ばねとして形成されてもよい。あるいは、前記復元スプリングは、引張コイルばねして形成されてもよい。
【００１２】
前記中間骨は、当該中間骨の内方部および外方部にそれぞれ形成される内側リテーナおよび外側リテーナを含み、前記中間連結骨を前記内側リテーナおよび前記外側リテーナによって保持されるように前記中間骨に対して摺動可能に並置してもよい。
【００１３】
また、前記中間骨は、プラスチックの成型プロセスによって一体的に形成されて、前記中間骨の内方部および外方部にそれぞれ形成される内側リテーナおよび外側リテーナを有するプラスチックの骨となり、前記中間連結骨を前記内側リテーナおよび前記外側リテーナによって保持されるように前記中間骨に対して摺動可能に並置してもよい。
【００１４】
【考案の実施の形態】
以下、図面を参照して、本考案の実施の形態を説明する。
【００１５】
図１〜図６に示すように、本考案は、中央軸１と、中央軸１に回動可能に取り付けられ、傘布Ｃを取り付けるための骨アセンブリ２とを有している。骨アセンブリ２は、小型の傘に特に適合させられる三段折畳み式の骨アセンブリである。他の多段折畳み式傘もまた、本考案に応じて変更され得る。
【００１６】
骨アセンブリ２は、中央軸１の頂部に形成された上ノッチ２０に回動可能に取り付けられる内方端部２１１を有するトップ骨２１と、中央軸１に摺動可能に保持されるランナすなわち下ランナ２０ｒに回動可能に固定される内方端部２２１を有する拡張骨２２と、内側連結骨２５を介してトップ骨２１に回動可能に取り付けられる最内方端部２３１、および拡張骨２２の外方端部２２２に回動可能に取り付けられる内方部２３２を有する中間骨２３と、内側リテーナ２３ａおよび外側リテーナ２３ｂによって中間骨２３に並んで配置される中間連結骨２４と、中間骨２３および中間連結骨２４にそれぞれ回動可能に取り付けられるリア骨２６とを含む。
【００１７】
中間連結骨２４は、拡張骨２２に取り付けられる弾性を有する復元スプリング３に回動可能に取り付けられる内方端部２４１を有し、また、リア骨２６の内方端部２６２に回動可能に連結される外方端部２４２を有する。
【００１８】
リア骨２６は、中間骨２３の外方端部２３３に回動可能に取り付けられる内方部２６１を有する。リア骨２６の内方部は、中間骨２３および中間連結骨２４をそれぞれ接続するための接合部として形成され得る。
【００１９】
内側連結骨２５は、トップ骨２１の外方部２１３に回動可能に取り付けられる内方端部２５１を有し、また、中間骨２３の最内方端部２３１に回動可能に連結される外方端部２５２を有する。
【００２０】
拡張骨２２は、トップ骨２１の最外方端部２１２に回動可能に連結される中間部２２３を有し、また、拡張骨２２の外方部に取り付けられる弾性を有する復元スプリング３を有する。
【００２１】
拡張骨２２に凹状に形成された溝２２０に取り付けられる弾性を有する復元スプリング３は、拡張骨２２の中間部に隣接する拡張骨２２の骨部に取り付けられる内方ばね端部３１と、拡張骨２２の溝２２０に摺動可能に係合しているスライド部材３３に取り付けられる外方ばね端部３２とを有する。スライド部材３３は、拡張骨２２の底部に切り欠かれて形成されたスロット２２４を通って外方に突出するラグ３４を有しており、ラグ３４は、中間連結骨２４の内方端部２４１に回動可能に取り付けられる。
【００２２】
傘を開くとき（図１）および傘を閉じるとき（図５）、スライド部材３３のラグ３４は、スロット２２４の範囲内で往復するようにスライドする。
【００２３】
復元スプリング３は、図１〜図５、図１１に示すような板ばねとして形成されることができ、あるいは、図８および図９に示すような引張コイルばね等の他の引張ばねとして改変されることができ、本考案において制限されない。
【００２４】
中間骨２３は、プラスチックの成型プロセスによって一体的に形成されることができ、成型プロセスの間に中間骨２３に一体的に形成される長手方向の溝の内部で中間連結骨２４を摺動可能に配置するために、成型プロセスの間に形成される内側および外側のリテーナ２３ａ、２３ｂを有するプラスチックの骨となり得る（図４）。
【００２５】
本考案の復元スプリング３は、傘の閉鎖状態（図５）から開放状態（図１）まで引っ張られて、ばねエネルギ（弾性力）を蓄積することができる。したがって、弾性を有する復元スプリング３を介して拡張骨２２に取り付けられる中間連結骨２４と、中間連結骨２４に摺動可能に連結される中間骨２３と、弾性を有する復元スプリング３および中間連結骨２４を介して拡張骨２２に取り付け可能とされるリア骨２６とのすべての骨２４、２３、２６は、骨アセンブリ２の拡張骨２２および中央軸１に対して、弾性力によって常に引張力をかけられる（すなわち引っ張られる）であろう。それによって、傘を閉じるとき、迅速で便利な傘の折畳み動作を助けるために、復元スプリング３が骨２４、２３、２６を中央軸１の方へ弾性力によって引っ込ませるように復元するであろう。
【００２６】
各々の復元スプリング３は、拡張骨２２の外方部に取り付けられ、傘の便利な折畳みを助けるためにのみ十分なバネ力をもたらすための適切なばね長さを有しており、従来の自動開閉傘において見られるように完全には自動的に傘を閉じないようになっている。一方、復元スプリングが、より強いバネ力をもたらすためにより長く作られる場合、傘を開くための大きな力が要求され、ユーザの不都合がさらに生じるであろう。したがって、本考案の復元スプリング３を提供することは、傘の便利な折畳みをちょうど助けるための適切な弾性を有することに対して、申し分のないものである。
【００２７】
内側リテーナ２３ａは、拡張骨２２の外方端部２２２に近い側の、中間骨２３に形成され、この結果、（図５に示されるように、また、図１１に点線として示されるように）中間骨２３の溝の内部に中間連結骨２４の内方部を「隠す」ことになる。このことは、きちんと折畳まれた傘にすべく傘の骨および布を完全に折畳むために、中間骨２３および中間連結骨２４が中央軸１の方へ内方へ折畳まれることを示している。
【００２８】
一方、外側リテーナ２３ｂは、リア骨２６の内方端部２６２に近い側の、中間骨２３に形成され、この結果、中間連結骨２４の外方部およびリア骨２６を中間骨２３に近づくように付勢するのを助けることになる。それによって、傘を閉じたときに都合よく折畳むために、骨２３、２４、２６を中央軸１の方へ折畳む。
【００２９】
図７に示すように、中間骨２３は、断面で見た場合にＵ字形状の溝を有するアルミニウム合金または鋼鉄製の骨であるように改変される。内側および外側のリテーナ２３ａ、２３ｂは、骨の側壁から直接に縁曲げされることができる。
【００３０】
図８および図９に示すように、復元スプリング３は、各々の拡張骨において、弾性力をもって保持されるコイルばねであるように改変されている。図８において、中間骨２３は、プラスチックの成型プロセスにより作られて、プラスチックの骨となる。一方、図９に示される中間骨２３は、図７に示されるものと同様に、金属または金属合金で作られる。
【００３１】
本考案は、本考案の趣旨および範囲から逸脱することなく、改良されることができる。
【００３２】
【考案の効果】
以上説明したように、本考案の多段折畳み式傘によれば、骨アセンブリを中央軸に接近するように都合よく折畳むことが可能である。
【図面の簡単な説明】
【図１】本考案の傘の開かれたときの様子を示す図である。
【図２】本考案の復元スプリングの部分拡大図である。
【図３】本考案の傘の閉じるときの様子を示す図である。
【図４】本考案の中間骨の部分的な長手方向の断面図である。
【図５】本考案の傘の折畳まれたときの様子を示す図である。
【図６】図５に示す復元スプリングの部分拡大図である。
【図７】本考案の他の好適な実施形態の傘の折畳まれたときの様子を示す図である。
【図８】本考案のさらに別の好適な実施形態の傘の開かれたときの様子を示す図である。
【図９】本考案のなおさらなる好適な実施形態の傘の開かれたときの様子を示す図傘である。
【図１０】従来の三段折畳み式傘の折畳んだときの様子を示す。
【図１１】従来の他の三段折畳み式傘の折畳んだときの様子を示す。
【符号の説明】
１…中央軸、
２…骨アセンブリ、
２０ｒ…ランナ、
２０…上ノッチ、
２１…トップ骨、
２２…拡張骨、
２２０…溝、
２２４…スロット、
２３…中間骨、
２３ｍ…リテーナ、
２３ａ…内側リテーナ、
２３ｂ…外側リテーナ、
２４…中間連結骨、
２５…内側連結骨、
２６…リア骨、
３…復元スプリング、
３１…内方ばね端部、
３２…外方ばね端部、
３３…スライド部材、
３４…ラグ、
Ｃ…傘布。
【図１】
0003097904.tif 000003
【図２】
0003097904.tif 000004
【図３】
0003097904.tif 000005
【図４】
0003097904.tif 000006
【図５】
0003097904.tif 000007
【図６】
0003097904.tif 000008
【図７】
0003097904.tif 000009
【図８】
0003097904.tif 000010
【図９】
0003097904.tif 000011
【図１０】
0003097904.tif 000012
【図１１】
0003097904.tif 000013